(57)【特許請求の範囲】
【請求項１】
ＡＴＭ（現金自動預払機）で受け付けた入金を、金融機関のホストコンピュータにおいて同一の口座へ複数の入金明細を作成して入金処理するシステムであって、
キャッシュカードから口座情報を読み取り、投入された紙幣および指定された複数の入金金額を受け取って、前記紙幣の合計金額から前記複数の入金金額を差し引いた差額を算出して、前記複数の入金金額及び前記差額を含む１件の入金電文を作成し、前記ホストコンピュータに送信するように構成された前記ＡＴＭと、
前記ＡＴＭから前記入金電文を受信すると入金処理を実施し、入金明細を記憶する取引マスタに、前記複数の入金金額の各入金金額に対応する複数の入金明細と、前記差額を含む入金明細とを作成するように構成された前記ホストコンピュータと
を備えたことを特徴とするシステム。
【請求項２】
前記複数の入金明細は、売上金の入金明細として作成され、前記差額を含む入金明細は、つり銭の入金明細として作成されるように構成されたことを特徴とする請求項１に記載のシステム。
【請求項３】
前記ＡＴＭは、前記キャッシュカードから読み取った口座情報を前記ホストコンピュータに通知し、
前記ホストコンピュータは、前記口座情報に対応する口座が一部入金可能な入金専用口座でない場合に、前記ＡＴＭにエラーを通知することを特徴とする請求項１に記載のシステム。
【請求項４】
ＡＴＭ（現金自動預払機）で受け付けた入金を、金融機関のホストコンピュータにおいて同一の口座へ複数の入金明細を作成して入金処理する方法であって、
前記ＡＴＭが、キャッシュカードから口座情報を読み取り、投入された紙幣および指定された複数の入金金額を受け取って、前記紙幣の合計金額から前記複数の入金金額を差し引いた差額を算出して、前記複数の入金金額及び前記差額を含む１件の入金電文を作成し、前記ホストコンピュータに送信するステップと、
前記ホストコンピュータが、前記ＡＴＭから受信した前記入金電文を入金処理して、入金明細を記憶する取引マスタに、前記複数の入金金額の各入金金額に対応する入金明細と、前記差額を含む入金明細とを作成するステップと
を含むことを特徴とする方法。
【請求項５】
前記複数の入金明細は、売上金の入金明細として作成され、前記差額を含む入金明細は、つり銭の入金明細として作成されることを特徴とする請求項４に記載の方法。
【請求項６】
前記ＡＴＭが、前記キャッシュカードから読み取った口座情報を前記ホストコンピュータに通知し、前記ホストコンピュータが、前記口座情報に対応する口座が一部入金可能な入金専用口座でない場合に、前記ＡＴＭにエラーを通知するステップを含むことを特徴とする請求項４に記載の方法。
【発明の詳細な説明】
【技術分野】
【０００１】
本発明は、複数明細入金システム及びその方法に関し、より詳細には、ＡＴＭ（現金自動預払機）で受け付けた入金を、金融機関のホストコンピュータにおいて同一の口座へ複数の入金明細を作成して入金処理するシステム及びその方法に関する。
【背景技術】
【０００２】
現在、複数の金融機関から、入金専用のキャッシュカードを用いた入金サービスが提供されている。この入金サービスは、例えば、複数の小売店を持つ企業において、各小売店の売上金を集金し、ＡＴＭに入金して、その売上金を入金専用口座を介して、本社の管理口座で一括管理することを目的とする。利用可能なＡＴＭには、この入金サービスを提供する金融機関のＡＴＭのほか、他の金融機関の提携ＡＴＭも含まれ、これらのＡＴＭは、現在では、多くのコンビニエンスストアにも設置されている。また、コンビニエンスストア等に設置されたＡＴＭは、２４時間利用なものも多い。
【０００３】
この入金サービスによると、例えば集金の都度、ＡＴＭへ入金することができるので、移動中の紛失や盗難などの現金取扱リスクを軽減することができる。また、入金専用キャッシュカードは、入金担当者毎に別々のキャッシュカード番号で発行することができるので、入金専用口座の入金明細を確認することで、キャッシュカード番号をキーにして、入金担当者の入金状況を把握することができる。さらに、入金専用口座に入金された売上金等は、指定された資金管理口座に自動的に振り替えられるので、資金回収を効率的に行うことができる。
【発明の概要】
【発明が解決しようとする課題】
【０００４】
しかしながら、コンビニエンスストア等に設置されたＡＴＭは、硬貨投入口を備えていないものが多い。したがって、硬貨による入金を行えず、つり銭も取得できないため、上述したサービスでは、当日の売上金と実際の入金額とを同一にすることが難しいという問題がある。
【０００５】
本発明は、このような問題に鑑みてなされたものであり、その目的とするところは、ＡＴＭの一部入金機能を用いて売上金等と同一の入金額を入金することができ、同一の口座へ複数の入金明細を作成して入金処理するシステム及びその方法を提供することにある。
【課題を解決するための手段】
【０００６】
このような目的を達成するために、本発明の一実施形態に係るシステムは、キャッシュカードから口座情報を読み取り、投入された紙幣および指定された複数の入金金額を受け取って、紙幣の合計金額から複数の入金金額を差し引いた差額を算出して、複数の入金金額及び差額を含む１件の入金電文を作成し、ホストコンピュータに送信するように構成されたＡＴＭを備える。また、該システムは、ＡＴＭから入金電文を受信すると入金処理を実施し、入金明細を記憶する取引マスタに、複数の入金金額の各入金金額に対応する複数の入金明細と、差額を含む入金明細とを作成するように構成されたホストコンピュータを備える。  
複数の入金明細は、売上金の入金明細として作成し、差額を含む入金明細は、つり銭の入金明細として作成してもよい。
【０００７】
また、ＡＴＭは、キャッシュカードから読み取った口座情報をホストコンピュータに通知し、ホストコンピュータは、口座情報に対応する口座が一部入金可能な入金専用口座でない場合に、ＡＴＭにエラーを通知するように構成することができる。
【０００８】
また、本発明の一実施形態に係るＡＴＭは、キャッシュカードから口座情報を読み取り、投入された紙幣および指定された複数の入金金額を受け取って、紙幣の合計金額から複数の入金金額を差し引いた差額を算出して、複数の入金金額の各入金金額に対応する複数の入金電文と、差額を含む入金電文とを作成し、ホストコンピュータに送信するように構成されたことを特徴とする。該ＡＴＭは、複数の入金電文を売上金の入金として作成し、差額を含む入金電文をつり銭の入金として作成するように構成してもよい。
【図面の簡単な説明】
【０００９】
【図１】本発明の一実施形態に係るシステムの構成を示すブロック図である。
【図２】本発明の一実施形態に係るシステムの機能ブロック図である。
【図３】本発明の一実施形態に係る口座マスタを示す図である。
【図４】本発明の一実施形態に係る入金電文を示す図である。
【図５】本発明の一実施形態に係る取引マスタを示す図である。
【図６】本発明の一実施形態に係るシステムの処理フロー図である。
【図７】本発明の別の実施形態に係る入金電文を示す図である。
【図８】本発明を説明するための概念図である。
【発明を実施するための形態】
【００１０】
以下に、図面を参照しながら、本発明の実施形態について詳細に説明する。なお、複数の図面において同一の符号は同一物を表し、その繰り返しの説明は省略する。
【００１１】
（第１の実施形態）
図１は、本発明の一実施形態に係る複数明細入金システムの構成を示す。  
本発明の一実施形態に係るシステムでは、複数のＡＴＭ１０１が、ネットワーク１０３を介して金融機関システム１０５に相互に通信可能に接続されている。ＡＴＭ１０１は三台しか示していないが、実際には、各地に数多くのＡＴＭが設置されている。ネットワーク１０３には様々なネットワークが含まれ、例えば、各金融機関のＡＴＭを相互接続する統合ＡＴＭシステムなども含まれる。金融機関システム１０５は、一般的に、相互に接続された多くのコンピュータで構成されているが、ここでは、ホストコンピュータ１０７、並びに、口座情報等を記憶する口座マスタ１０９、及び、入金明細を含む取引情報を記憶する取引マスタ１１１を例示する。
【００１２】
なお、ＡＴＭ１０１及びホストコンピュータ１０７は、処理装置（ＣＰＵ）、メモリ、記憶装置などを備えるコンピュータであり、メモリまたは記憶装置に記憶されたコンピュータプログラムを処理装置（ＣＰＵ）が処理することによって統括的に制御され、本発明に係る処理を実施し、その機能を実現することができる。また、口座マスタ１０９、取引マスタ１１１などのデータベースも、金融機関システム１０５内の任意のコンピュータに実装される。なお、上述したシステム構成は、例示のためのものであり、本発明を実施することができるシステム構成を限定するものではない。
【００１３】
ここで、図３を参照して、口座マスタ１０９について説明する。  
口座マスタ１０９は、口座情報として、支店名、支店コード、種目、口座番号、名義人名などの情報と共に、入金専用フラグを含む。入金専用フラグが「１」として登録されている場合は、その口座が、一部入金可能な入金専用口座であり、その口座からは、キャッシャカード等を用いて出金することができなことを示す。一方、入金専用フラグが「０」として登録されている場合には、その口座が一部入金可能な入金専用口座ではなく、キャッシュカード等を用いて出金することも可能な口座であることを示す。
【００１４】
図３に例示した口座マスタ１０９は、データレコード３０１、３０２を含む。データレコード３０１によって示される口座は、入金専用フラグが「１」として登録されているので一部入金可能な入金専用口座である。一方、データレコード３０２によって示される口座は、入金専用フラグが「０」として登録されているので一部入金可能な入金専用口座ではない。
【００１５】
次いで、上述した本発明の一実施形態に係るシステムの、ＡＴＭ１０１および金融機関システム１０５の機能についてより具体的に説明する。図２は、本発明の一実施形態に係るシステムの機能ブロックを示す。なお、ＡＴＭ１０１は、少なくとも従来のＡＴＭと同様の機能を備えるものであり、例えば、操作案内、操作内容などを表示する表示部、入力キーなどの入力部、紙幣投入口なども備えるが、本明細書では詳細には説明しない。したがって、それらは、図１、２等にも示されていない。なお、本発明においては、ＡＴＭ１０１は硬貨投入口を備えていなくてもよい。
【００１６】
図２に示されるように、ＡＴＭ１０１は、カード読取部２０１、電文作成部２０３、および電文送信部２０５を備え、ホストコンピュータ１０７は、通知照合部２０６、電文受信部２０７、および入金処理部２１１を備える。
【００１７】
カード読取部２０１は、ＡＴＭ１０１に挿入されたキャッシュカードを読み取り、そのキャッシュカードに記憶された口座の口座情報等を取得する。キャッシュカードから読み取った情報は、ホストコンピュータ１０７に通知される。ホストコンピュータ１０７が通知を受け取ると、通知照合部２０６が口座マスタ１０９を参照して、通知に含まれた口座が一部入金可能な入金専用口座であるかどうかを確認し、その結果をＡＴＭ１０１に返す。その口座が一部入金可能な入金専用口座でない場合は、ＡＴＭ１０１にエラーを通知する。確認結果を受け取ったＡＴＭ１０１は、その口座が一部入金可能な入金専用口座である場合は、一部入金メニューを表示する。入金担当者は、ＡＴＭ１０１に紙幣を投入すると共に、売上金等の入金金額を入力することができる。この際、入金金額の入力は、複数回に分けて行うことができる。例えば、ＡＴＭに１０，０００円が投入された場合、一部入金として７，０００円、１，５００円、１，０００円というように、３回の入金に分けて入金金額を指定することができる。
【００１８】
電文作成部２０３は、ＡＴＭ１０１に投入された紙幣、およびＡＴＭ１０１に入力された入金金額に基づいて、１件の入金電文を作成する。作成された入金電文は、電文送信部２０５によって金融機関システム１０５のホストコンピュータ１０７に送信される。
【００１９】
ここで、図４を参照して、電文作成部２０３によって作成される入金電文４０１について説明する。  
入金電文４０１は、従来の入金電文と同様に、入払区分、入金金額、振込依頼人コード、支店名、支店コード、種目、口座番号、名義人名などの項目と共に、つり銭フラグ１〜３、入金金額１〜３などの項目も含む。つり銭フラグ１と入金金額１、つり銭フラグ２と入金金額２、およびつり銭フラグ３と入金金額３はそれぞれペアになっている。入金担当者によって入力された入金金額に対しては、つり銭フラグが「０」として設定され、これは、その入金金額が、売上金等であることを示す。一方、ＡＴＭに投入された紙幣の合計金額からＡＴＭで指定された入金金額の合計金額を差し引いた差額については、つり銭フラグが「１」として設定される。
【００２０】
例えば、上述したように、ＡＴＭに１０，０００円が投入され、一部入金として７，０００円、１，５００円、１，０００円の各入金金額が指定された場合、図４に示すように１件の入金電文４０１が作成される。入金電文４０１の「入金金額」には７，０００円が設定され、「入金金額１」には１，５００円が設定され、「入金金額２」には１，０００円が設定される。また、「つり銭フラグ１」および「つり銭フラグ２」は「０」として設定される。一方、「入金金額３」には、つり銭金額として、ＡＴＭに投入された紙幣の合計金額から、ＡＴＭで指定された入金金額の合計金額を差し引いた差額が算出され、設定される。この場合、その差額は５００円である。また、「つり銭フラグ３」は「１」として設定される。
【００２１】
図２に戻り、続いて、ホストコンピュータ１０７の電文受信部２０７および入金処理部２１１について説明する。
【００２２】
電文受信部２０７によって受信された入金電文は、入金処理部２１１によって処理される。入金処理部２１１は、入金電文に基づいて入金処理を実施し、取引マスタ１１１に入金明細レコードを作成する。
【００２３】
ここで、図５を参照して、入金処理部２１１が取引マスタ１１１に作成する入金明細レコードについて説明する。図５は、図４に示した入金電文４０１に基づいて、取引マスタ１１１に作成される入金明細レコード５０１〜５０４を示す。入金処理部２１１は、入金電文４０１の「入金金額」、「入金金額１」、「入金金額２」に対応す入金明細レコードを、それぞれ、入金明細レコード５０１、５０２、５０３として作成する。図示されるように、入金明細レコード５０１、５０２、５０３の入金額は、それぞれ、７，０００円、１，５００円、１，０００円として登録される。その際、「入金金額」、並びに「つり銭フラグ」が「０」として設定されている「入金金額１」および「入金金額２」に対応する入金明細レコードの「摘要」は、「ウリアゲ」として登録される。一方、入金電文４０１の「入金金額３」に対応する入金明細レコードは、入金明細レコード５０４として作成される。また、「つり銭フラグ３」が「１」として設定されているので、入金明細レコード５０４の「摘要」は、「ツリセン」として登録される。
【００２４】
図６は、本発明の一実施形態に係るシステムの処理フロー図を示す。  
まず、ＡＴＭ１０１は、挿入されたキャッシュカードを読み取る（Ｓ６０１）。キャッシュカードから読み取った口座情報等はホストコンピュータ１０７に通知される。ホストコンピュータ１０７は口座マスタ１０９を参照して、ＡＴＭ１０１から通知された口座が一部入金可能な入金専用口座であるかどうかを確認する（Ｓ６０２）。その口座が一部入金可能な口座でない場合は、ＡＴＭ１０１にエラーを通知し（Ｓ６０３）、処理を終了する。一方、その口座が一部入金可能な口座である場合は、一部入金可能な口座であるとの確認結果をＡＴＭ１０１に通知し、ＡＴＭ１０１は、一部入金メニューを表示する（Ｓ６０４）。次いで、ＡＴＭ１０１は、投入された紙幣および指定された複数の入金金額を受け取る（Ｓ６０５）。ＡＴＭ１０１は、キャッシュカードから読み取った口座情報及び指定された入金金額に基づいて、入金電文を作成し、ホストコンピュータ１０７に送信する（Ｓ６０７）。ここで、入金電文に含まれるつり銭金額には、投入された紙幣の合計金額から、指定された入金金額の合計金額を差し引いた差額が設定される。
【００２５】
ホストコンピュータ１０７は入金電文を受信すると入金処理を実施し、取引マスタ１１１に、摘要欄を「ウリアゲ」とした複数の入金明細レコードと、摘要欄を「ツリセン」とした入金明細レコードを作成する（Ｓ６０９）。
【００２６】
このように、本発明によると、ＡＴＭの一部入金機能を用いて売上金等と同一の入金額を入金することができ、売上金等とつり銭にそれぞれ対応する複数の入金明細レコードを分別して作成することができる。
【００２７】
（第２の実施形態）
上述した実施形態では、ＡＴＭ１０１が、複数の入金金額およびつり銭金額を含む１件の入金電文を作成し、ホストコンピュータ１０７において、それぞれに対応する複数の入金明細レコードを作成したが、本実施形態では、ＡＴＭ１０１が複数の入金金額およびつり銭金額に対応する複数の入金電文を作成して、ホストコンピュータ１０７に送信する。
【００２８】
図７は、本実施形態に係る入金電文７００を示す。なお、入金電文７００は、上述した実施形態と同様に、ＡＴＭ１０１の電文作成部２０３によって作成される。また、上述した実施形態と同様に、ＡＴＭに１０，０００円が投入され、一部入金として７，０００円、１，５００円、１，０００円の各入金金額が指定された場合について説明する。
【００２９】
図示されるように、本実施形態では、ＡＴＭ１０１に紙幣が投入され、複数の入金金額が指定されると、複数の入金電文７０１〜７０４が作成される。入金電文７０１〜７０４は、図４の入金電文４０１と比較すると、つり銭フラグ１〜３、および入金金額１〜３という項目を含まない。その代わりに、入金金額として７，０００円、１，５００円、１，０００円がそれぞれ設定された複数の入金電文７０１〜７０３、投入された紙幣の合計金額から指定された入金金額の合計金額を差し引いた差額５００円が設定された入金電文７０４が作成される。また、入金電文７０１〜７０４の「摘要」には、それぞれ、「ウリアゲ」および「ツリセン」を設定することができる。
【００３０】
このようにＡＴＭ１０１からは複数の入金電文７０１〜７０４が送信されるので、ホストコンピュータ１０７はそれぞれの入金電文について１件ずつ従来通り入金処理することができ、取引マスタ１１１には、図５に示したように、対応する複数の入金明細レコードを作成することができる。
【００３１】
図８は、本発明を説明するための概念図を示す。ここでは、インターネットバンキングシステム等の入出金明細照会画面８０１を例示する。  
これまで説明してきたように、本発明によると、ＡＴＭで受け付けた入金を、一部入金可能な入金専用口座に対して入金処理して、複数の入金明細レコードを作成することができる。例えば、図８に示されるように、ＡＴＭ１０１に１０，０００円が投入され、一部入金として７，０００円、１，５００円、１，０００円が指定されるとする。この場合、入出金明細照会画面８０１には、７，０００円、１，５００円、１，０００円の３件の入金明細が、摘要欄を「ウリアゲ」として表示され、入金金額が５００円である１件の入金明細が、摘要欄を「ツリセン」として表示される。また、入出金明細照会画面８０１には、依頼人コードが表示される。この情報は、入金に使用したキャッシュカードから取得することができる。このように依頼人コードを管理することにより、入金担当者ごとの入金の管理が容易になる。なお、入金専用口座への入金は、後に一括して、本サービスを利用する会社の指定口座、たとえば、資金管理管理口座等に移動することができる。
【００３２】
以上説明したように、本発明によると、ＡＴＭの一部入金機能を用いて、複数の入金明細を作成して入金処理することができ、つり銭分を同一の口座に対する別の入金データとして処理することにより、硬貨によって入金することができず、つり銭も返却されないＡＴＭにおいても、所望の口座に１円単位で入金することが可能になり、売上金等と同一の入金額を入金することが可能になる。
【符号の説明】
【００３３】
１０１  ＡＴＭ
１０３  ネットワーク
１０５  金融機関システム
１０７  ホストコンピュータ
１０９  口座マスタ
１１１  取引マスタ
２０１  カード読取部
２０３  電文作成部
２０５  電文送信部
２０６  通知照合部
２０７  電文受信部
２１１  入金処理部
【図１】
0005546478.tif 000002
【図２】
0005546478.tif 000003
【図３】
0005546478.tif 000004
【図４】
0005546478.tif 000005
【図５】
0005546478.tif 000006
【図６】
0005546478.tif 000007
【図７】
0005546478.tif 000008
【図８】
0005546478.tif 000009